(57)【要約】  シミュレーション装置は、表示装置（３）、表示装置（４）、表示装置（５）、表示装置（６）、記憶装置（７）、入力装置（８）、抽出部（２０）、及び表示制御部（２１）を備える。記憶装置（７）は、複数の画像データを記憶する。複数の画像データのそれぞれは、エレベーターのかご室の室内意匠を表す。表示制御部（２１）は、抽出部（２０）によって抽出された画像データを表示装置（３）、表示装置（４）、表示装置（５）、及び表示装置（６）を用いて表示させる。
2019215886.tif 000002
【特許請求の範囲】
【請求項１】
上下、左右、及び奥が囲まれた空間を形成し、出入口から前記空間に人が入ることが可能なシミュレーション装置であって、
前記空間の右側の壁面を形成し、前記空間に向けて画像を表示する第１表示装置と、
前記空間の左側の壁面を形成し、前記空間に向けて画像を表示する第２表示装置と、
前記空間の奥側の壁面を形成し、前記空間に向けて画像を表示する第３表示装置と、
前記空間の天井面を形成し、前記空間に向けて画像を表示する第４表示装置と、
複数の画像データを記憶する記憶装置と、
情報を入力するための入力装置と、
前記入力装置から入力された情報に基づいて、前記複数の画像データの中から１つの画像データを抽出する抽出手段と、
前記抽出手段によって抽出された画像データを前記第１表示装置、前記第２表示装置、前記第３表示装置、及び前記第４表示装置を用いて表示させる表示制御手段と、
を備え、
前記複数の画像データのそれぞれは、エレベーターのかご室の室内意匠を表すシミュレーション装置。
【請求項２】
前記複数の画像データに、改修工事前のかご室の室内意匠を表す画像データと改修工事後のかご室の室内意匠を表す画像データとが含まれる請求項１に記載のシミュレーション装置。
【請求項３】
上下、左右、及び奥が囲まれた空間を形成し、出入口から前記空間に人が入ることが可能なシミュレーション装置であって、
前記空間の右側の壁面を形成し、前記空間に向けて画像を表示する第１表示装置と、
前記空間の左側の壁面を形成し、前記空間に向けて画像を表示する第２表示装置と、
前記空間の奥側の壁面を形成し、前記空間に向けて画像を表示する第３表示装置と、
前記空間の天井面を形成し、前記空間に向けて画像を表示する第４表示装置と、
複数の第１画像データ及び複数の第２画像データを記憶する記憶装置と、
第１情報及び第２情報を入力するための入力装置と、
前記入力装置から入力された第１情報に基づいて前記複数の第１画像データの中から１つの第１画像データを抽出し、前記入力装置から入力された第２情報に基づいて前記複数の第２画像データの中から１つの第２画像データを抽出する抽出手段と、
前記抽出手段によって抽出された第１画像データを前記第１表示装置、前記第２表示装置、及び前記第３表示装置を用いて表示させ、前記抽出手段によって抽出された第２画像データを前記第４表示装置に表示させる表示制御手段と、
を備え、
前記複数の第１画像データのそれぞれは、エレベーターのかご室の壁面意匠を表し、
前記複数の第２画像データのそれぞれは、エレベーターのかご室の天井面意匠を表すシミュレーション装置。
【請求項４】
前記複数の第１画像データに、改修工事前のかご室の壁面意匠を表す画像データと改修工事後のかご室の壁面意匠を表す画像データとが含まれる請求項３に記載のシミュレーション装置。
【請求項５】
前記記憶装置に、複数のオプション画像データが記憶され、
前記複数のオプション画像データのそれぞれは、エレベーターのかご室の壁面に取り付けることが可能なオプション機器の意匠を表し、
前記入力装置から、オプション情報を入力することが可能であり、
前記抽出手段は、前記入力装置から入力されたオプション情報に基づいて前記複数のオプション画像データの中から１つのオプション画像データを抽出し、
前記表示制御手段は、前記抽出手段によって抽出されたオプション画像データを前記第１表示装置、前記第２表示装置、又は前記第３表示装置に表示させる請求項１から請求項４の何れか一項に記載のシミュレーション装置。
【請求項６】
前記第１表示装置の上側の縁は、前記第４表示装置の右側の縁に隣接し、
前記第２表示装置の上側の縁は、前記第４表示装置の左側の縁に隣接し、
前記第３表示装置の上側の縁は、前記第４表示装置の奥側の縁に隣接する請求項１から請求項５の何れか一項に記載のシミュレーション装置。
【請求項７】
前記第１表示装置の奥側の縁は、前記第３表示装置の右側の縁に隣接し、
前記第２表示装置の奥側の縁は、前記第３表示装置の左側の縁に隣接する請求項１から請求項６の何れか一項に記載のシミュレーション装置。
【発明の詳細な説明】
【技術分野】
【０００１】
この発明は、シミュレーション装置に関する。
【背景技術】
【０００２】
特許文献１に、エレベーター用のシミュレーション装置が記載されている。特許文献１に記載されたシミュレーション装置を用いることにより、選択したかご仕様と選択した乗場仕様とをＰＣのディスプレイに表示させることができる。
【先行技術文献】
【特許文献】
【０００３】
【特許文献１】日本特開２００６−２３２４８０号公報
【発明の概要】
【発明が解決しようとする課題】
【０００４】
特許文献１に記載されたシミュレーション装置では、選択したかご仕様をＰＣの小さなディスプレイに表示させることしかできない。このため、利用者は、かご室に配置される機器の実際の大きさ等を把握することができなかった。【０００５】
この発明は、上述のような課題を解決するためになされた。この発明の目的は、エレベーターのかご室に配置される機器の大きさ等を適切に再現することができるシミュレーション装置を提供することである。
【課題を解決するための手段】
【０００６】
この発明に係るシミュレーション装置は、空間の右側の壁面を形成し、空間に向けて画像を表示する第１表示装置と、空間の左側の壁面を形成し、空間に向けて画像を表示する第２表示装置と、空間の奥側の壁面を形成し、空間に向けて画像を表示する第３表示装置と、空間の天井面を形成し、空間に向けて画像を表示する第４表示装置と、複数の画像データを記憶する記憶装置と、情報を入力するための入力装置と、入力装置から入力された情報に基づいて、複数の画像データの中から１つの画像データを抽出する抽出手段と、抽出手段によって抽出された画像データを第１表示装置、第２表示装置、第３表示装置、及び第４表示装置を用いて表示させる表示制御手段と、を備える。複数の画像データのそれぞれは、エレベーターのかご室の室内意匠を表す。
【発明の効果】
【０００７】
この発明によれば、エレベーターのかご室に配置される機器の大きさ等を適切に再現することができる。
【図面の簡単な説明】
【０００８】
【図１】実施の形態１におけるシミュレーション装置の外観を示す図である。
【図２】図１に示すシミュレーション装置の正面図である。
【図３】シミュレーション装置の構成例を示す図である。
【図４】実施の形態１におけるシミュレーション装置の動作例を示すフローチャートである。
【図５】かご室の室内意匠が表示された例を示す図である。
【図６】かご室の室内意匠が表示された他の例を示す図である。
【図７】かご室の室内意匠が表示された他の例を示す図である。
【図８】かご室の室内意匠が表示された他の例を示す図である。
【図９】制御装置のハードウェア資源の例を示す図である。
【図１０】制御装置のハードウェア資源の他の例を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、実施の形態１におけるシミュレーション装置の外観を示す図である。図２は、図１に示すシミュレーション装置の正面図である。図３は、シミュレーション装置の構成例を示す図である。本シミュレーション装置は、エレベーターのかご室を模した装置である。
【００１１】
本シミュレーション装置には、かご室の内部に相当する空間２が形成される。利用者は、出入口１から空間２に入ることができる。以下の説明では、図２に示すように、出入口１から空間２の方を向く人を基準に、左右を特定する。また、出入口１から空間２の方を向く人を基準に、出入口１から遠い方を奥側と表記する。空間２は、上下、左右、及び奥が囲まれている。
【００１２】
シミュレーション装置は、例えば表示装置３、表示装置４、表示装置５、表示装置６、記憶装置７、入力装置８、及び制御装置９を備える。
【００１３】
表示装置３は、空間２の右側の壁面を形成する。表示装置３は、空間２に向けて画像を表示する。本実施の形態では、表示装置３が１台のディスプレイで右側の壁面を形成する例を示す。表示装置３は、複数台のディスプレイによって右側の壁面を形成しても良い。
【００１４】
表示装置４は、空間２の左側の壁面を形成する。表示装置４は、表示装置３に対向する。表示装置４は、空間２に向けて画像を表示する。本実施の形態では、表示装置４が１台のディスプレイで左側の壁面を形成する例を示す。表示装置４は、複数台のディスプレイによって左側の壁面を形成しても良い。
【００１５】
表示装置５は、空間２の奥側の壁面を形成する。表示装置５は、空間２に向けて画像を表示する。本実施の形態では、表示装置５が１台のディスプレイで奥側の壁面を形成する例を示す。表示装置５は、複数台のディスプレイによって奥側の壁面を形成しても良い。
【００１６】
表示装置６は、空間２の天井面を形成する。表示装置６は、空間２に向けて画像を表示する。本実施の形態では、表示装置６が１台のディスプレイで天井面を形成する例を示す。表示装置６は、複数台のディスプレイによって天井面を形成しても良い。
【００１７】
空間２の床面は、例えば、エレベーターのかご室で実際に用いられている床材１０で形成される。空間２の床面を透明な板で形成し、その透明板の下に表示装置を設置しても良い。かかる場合、その表示装置は、空間２に向けて画像を表示する。
【００１８】
表示装置３の上側の縁３ａは、表示装置６の右側の縁６ａに隣接する。このため、空間２の右側の壁面は、上下方向に関して、巾木１１の上端から天井面に隣接する部分までの領域が表示装置３によって形成される。また、表示装置４の上側の縁４ａは、表示装置６の左側の縁６ｂに隣接する。このため、空間２の左側の壁面は、上下方向に関して、巾木１２の上端から天井面に隣接する部分までの領域が表示装置４によって形成される。表示装置５の上側の縁５ａは、表示装置６の奥側の縁６ｃに隣接する。このため、空間２の奥側の壁面は、上下方向に関して、巾木１３の上端から天井面に隣接する部分までの領域が表示装置５によって形成される。
【００１９】
表示装置３の奥側の縁３ｂは、表示装置５の右側の縁５ｂに隣接する。このため、空間２の右側の壁面は、奥行き方向に関して、空間２の奥側の壁面に隣接する部分から柱１４の縁までの領域が表示装置３によって形成される。また、表示装置４の奥側の縁４ｂは表示装置５の左側の縁５ｃに隣接する。このため、空間２の左側の壁面は、奥行き方向に関して、空間２の奥側の壁面に隣接する部分から柱１５の縁までの領域が表示装置４によって形成される。上述したように、表示装置６の奥側の縁６ｃは表示装置５の上側の縁５ａに隣接する。このため、空間２の天井面は、奥行き方向に関して、空間２の奥側の壁面に隣接する部分から上枠１６の縁までの領域が表示装置６によって形成される。また、空間２の天井面は、左右方向に関して、空間２の右側の壁面に隣接する部分から左側の壁面に隣接する部分までの領域が表示装置６によって形成される。なお、出入口１は、柱１４、柱１５、及び上枠１６によって形成される。
【００２０】
記憶装置７に、多数の第１画像データと多数の第２画像データとが記憶される。各第１画像データは、エレベーターのかご室の壁面意匠を表す。具体的に、各第１画像データは、隣接する３面分の壁面意匠を表す。各第２画像データは、エレベーターのかご室の天井面意匠を表す。
【００２１】
入力装置８は、利用者が表示装置３から表示装置６に表示させる画像を選択するために利用される。図１及び図２は、可搬型の入力装置８が設置台１７に設置されている例を示す。利用者は、入力装置８を設置台１７から取り外して操作しても良い。入力装置８から情報を入力する手段は、どのようなものでも良い。例えば、利用者は、タッチパネルを操作することにより、入力装置８から情報を入力する。本実施の形態に示す例では、利用者は、第１情報と第２情報とを入力装置８から入力する。第１情報は、かご室の壁面意匠を特定するための情報である。第２情報は、かご室の天井面意匠を特定するための情報である。入力装置８から入力された第１情報及び第２情報は、制御装置９に送信される。
【００２２】
制御装置９は、例えば抽出部２０、及び表示制御部２１を備える。以下に、図４から図６も参照し、本シミュレーション装置が備える機能について説明する。図４は、実施の形態１におけるシミュレーション装置の動作例を示すフローチャートである。
【００２３】
制御装置９では、入力装置８から情報を受信したか否かが判定される（Ｓ１０１）。利用者が入力装置８に対して特定の操作を行うと、入力装置８から第１情報と第２情報とが送信される。入力装置８から送信された第１情報及び第２情報は、制御装置９によって受信される。
【００２４】
抽出部２０は、入力装置８から入力された情報に基づいて、記憶装置７に記憶されている複数の画像データの中から表示のための画像データを抽出する（Ｓ１０２）。本実施の形態に示す例では、抽出部２０は、入力装置８から入力された第１情報に基づいて、記憶装置７に記憶されている複数の第１画像データの中から１つの第１画像データを抽出する。抽出部２０は、入力装置８から入力された第２情報に基づいて、記憶装置７に記憶されている複数の第２画像データの中から１つの第２画像データを抽出する。
【００２５】
表示制御部２１は、抽出部２０によって抽出された画像データを、表示装置３、表示装置４、表示装置５、及び表示装置６を用いて表示させる（Ｓ１０３）。本実施の形態に示す例では、表示制御部２１は、抽出部２０が抽出した第１画像データを、表示装置３、表示装置４、及び表示装置５を用いて表示させる。これにより、利用者が選択した壁面意匠の画像が、表示装置３、表示装置４、及び表示装置５に表示される。また、表示制御部２１は、抽出部２０が抽出した第２画像データを表示装置６に表示させる。これにより、利用者が選択した天井面意匠の画像が表示装置６に表示される。
【００２６】
図５は、かご室の室内意匠が表示された例を示す図である。図５は、エレベーターのドア２２及び操作盤２３が表示装置５に表示された例を示す。図５に示す例では、かご室の手前側の壁面意匠が表示装置５に表示される。図６は、かご室の室内意匠が表示された他の例を示す図である。図６は、図５に示す表示が行われた後に入力装置８が操作されることによって表示壁面が切り替えられた例を示す。図６に示す例では、かご室の奥側の壁面意匠が表示装置５に表示される。このように、表示壁面を切り替えることで利用者は出入口１においてかご室の手前側の壁面意匠と、かご室の奥側の壁面意匠を把握することができる。
【００２７】
図５及び図６に示すように、本実施の形態に示す例であれば、エレベーターのかご室に配置される機器（例えば、操作盤２３）の大きさ等を適切に再現することができる。利用者は、空間２に入って表示を確認することができるため、機器の大きさ、高さ、及び位置等を容易に把握することができる。また、壁面の色、ドア２２の色、及び照明の明るさ等を適切に再現すれば、かご室の雰囲気等も把握することができる。
【００２８】
本実施の形態に示す例では、表示装置５の右側の縁５ｂ及び左側の縁５ｃが、表示装置３及び表示装置４にそれぞれ隣接する。このため、表示装置５と表示装置３の隙間、及び表示装置５と表示装置４の隙間を最小限に抑えることができ、壁面の境界を違和感なく表現できる。また、本実施の形態に示す例では、表示装置６の右側の縁６ａ、左側の縁６ｂ、及び奥側の縁６ｃが、表示装置３、表示装置４、及び表示装置５にそれぞれ隣接する。このため、表示装置６と表示装置３の隙間、表示装置６と表示装置４の隙間、及び表示装置６と表示装置５の隙間を最小限に抑えることができ、天井面と壁面との境界を違和感なく表現できる。
【００２９】
本実施の形態に示す例では、利用者が入力装置８から第１情報と第２情報との双方を入力する例について説明した。利用者は、入力装置８から第１情報及び第２情報を入力した後、第１情報は変更せずに第２情報のみを変更しても良い。これにより、例えば、天井面意匠の表示のみを変更させることができ、壁面意匠と天井面意匠の様々な組み合わせを再現できる。同様に、利用者は、入力装置８から第１情報及び第２情報を入力した後、第２情報は変更せずに第１情報のみを変更しても良い。
【００３０】
また、実際のエレベーターのかご室においてオプションとして取り付けることが可能な機器に関しては、本シミュレーション装置において表示及び非表示の選択ができても良い。例えば、記憶装置７に、多数のオプション画像データが記憶される。各オプション画像データは、エレベーターのかご室の壁面に取り付けることが可能なオプション機器の意匠を表す。
【００３１】
例えば、利用者は、タッチパネルを操作することにより、入力装置８からオプション情報を入力する。オプション情報は、表示させるオプション機器を特定するための情報である。入力装置８から入力されたオプション情報は、制御装置９に送信される。
【００３２】
抽出部２０は、入力装置８から入力されたオプション情報に基づいて、記憶装置７に記憶されている複数のオプション画像データの中から１つのオプション画像データを抽出する。表示制御部２１は、抽出部２０が抽出したオプション画像データを、表示装置３、表示装置４、又は表示装置５に表示させる。
【００３３】
図７は、かご室の室内意匠が表示された他の例を示す図である。例えば、図５に示す状態から、手摺２４を表示させるためのオプション情報が入力装置８から入力されると、表示制御部２１は、抽出部２０によって抽出された手摺２４のオプション画像データを表示装置３に表示させる。同様に、副操作盤２５を表示させるためのオプション情報が入力装置８から入力されると、表示制御部２１は、抽出部２０によって抽出された副操作盤２５のオプション画像データを表示装置４に表示させる。
【００３４】
図８は、かご室の室内意匠が表示された他の例を示す図である。図８は、図７に示す表示が行われた後に入力装置８が操作されることによって表示壁面が切り替えられた例を示す。例えば、表示壁面が切り替えられた後に、鏡２６を表示させるためのオプション情報が入力装置８から入力されると、表示制御部２１は、抽出部２０によって抽出された鏡２６のオプション画像データを表示装置５に表示させる。同様に、防犯カメラ２７を表示させるためのオプション情報が入力装置８から入力されると、表示制御部２１は、抽出部２０によって抽出された防犯カメラ２７のオプション画像データを表示装置５に表示させる。
【００３５】
なお、オプション画像データに関しては、入力装置８からの操作によって表示及び非表示の切り替えができることが好ましい。また、入力装置８からの操作によって、オプション画像データを表示させる位置が変更できても良い。これにより、オプションとして取り付けることができる機器の様々な組み合わせを再現できる。
【００３６】
本シミュレーション装置は、例えば展示場等に設置されることが好適である。かかる場合は、例えば、改修工事前の古いかご室の壁面意匠を表す第１画像データと改修工事後の新しいかご室の壁面意匠を表す第１画像データとを記憶装置７に記憶させることが好ましい。同様に、改修工事前の古いかご室の天井面意匠を表す第２画像データと改修工事後の新しいかご室の天井面意匠を表す第２画像データとを記憶装置７に記憶させることが好ましい。これにより、改修工事前後の状態を利用者に見せることができる。利用者は、改修工事を行うことの利点を容易に把握することができる。
【００３７】
本実施の形態に示す例では、第１画像データと第２画像データとが記憶装置７に記憶される例について説明した。これは一例である。例えば、記憶装置７に、かご室の室内意匠を表す多数の画像データを記憶させても良い。かかる場合、抽出部２０は、入力装置８から入力された情報に基づいて、記憶装置７に記憶された複数の画像データの中から１つの画像データを抽出する。表示制御部２１は、抽出部２０が抽出した画像データを、表示装置３、表示装置４、表示装置５、及び表示装置６を用いて表示させる。記憶装置７に、改修工事前の古いかご室の室内意匠を表す画像データと改修工事後の新しいかご室の室内意匠を表す画像データとを記憶させても良い。
【００３８】
また、本シミュレーション装置が展示場等に設置される場合は、表示装置３、表示装置４、表示装置５、及び表示装置６に動画を表示させても良い。例えば、改修工事の手順及び効果等の説明用に本シミュレーション装置を使用しても良い。かかる場合は、シミュレーション装置がスピーカを備えることが好ましい。
【００３９】
本実施の形態において、符号２０及び２１に示す各部は、制御装置９が有する機能を示す。図９は、制御装置９のハードウェア資源の例を示す図である。制御装置９は、ハードウェア資源として、例えばプロセッサ６１とメモリ６２とを含む処理回路６０を備える。制御装置９は、メモリ６２に記憶されたプログラムをプロセッサ６１によって実行することにより、符号２０及び２１に示す各部の機能を実現する。
【００４０】
図１０は、制御装置９のハードウェア資源の他の例を示す図である。図１０に示す例では、制御装置９は、例えばプロセッサ６１、メモリ６２、及び専用ハードウェア６３を含む処理回路６０を備える。図１０は、制御装置９が有する機能の一部を専用ハードウェア６３によって実現する例を示す。制御装置９が有する機能の全部を専用ハードウェア６３によって実現しても良い。
【産業上の利用可能性】
【００４１】
この発明に係るシミュレーション装置を利用することにより、かご室に配置される装置の大きさ等を容易に把握することができる。
【符号の説明】
【００４２】
１  出入口、  ２  空間、  ３  表示装置、  ３ａ〜３ｂ  縁、  ４  表示装置、  ４ａ〜４ｂ  縁、  ５  表示装置、  ５ａ〜５ｃ  縁、  ６  表示装置、  ６ａ〜６ｃ  縁、  ７  記憶装置、  ８  入力装置、  ９  制御装置、  １０  床材、  １１〜１３  巾木、  １４〜１５  柱、  １６  上枠、  １７  設置台、  ２０  抽出部、  ２１  表示制御部、  ２２  ドア、  ２３  操作盤、  ２４  手摺、  ２５  副操作盤、  ２６  鏡、  ２７  防犯カメラ、  ６０  処理回路、  ６１  プロセッサ、  ６２  メモリ、  ６３  専用ハードウェア
【図１】
2019215886.tif 000003
【図２】
2019215886.tif 000004
【図３】
2019215886.tif 000005
【図４】
2019215886.tif 000006
【図５】
2019215886.tif 000007
【図６】
2019215886.tif 000008
【図７】
2019215886.tif 000009
【図８】
2019215886.tif 000010
【図９】
2019215886.tif 000011
【図１０】
2019215886.tif 000012
【国際調査報告】
2019215886.tif 000013
2019215886.tif 000014
2019215886.tif 000015
2019215886.tif 000016